(57)【要約】【課題】本来の関節の特徴を高い精度で再現することのできる、全体的又は部分的な肩又は股の人工関節を提供する。【解決手段】本発明に係る人工関節は、関節結合部の凹面を与える上腕骨又は大腿骨の第１のコンポーネント（１；１０１；２０１）と、第１のコンポーネントの関節結合部の凹面（Ｓ1）に、及び本来の肩甲関節窩若しくは寛骨臼の凹面又は第３のコンポーネント（２；１０２；２０２）により画定される関節結合部の肩甲関節窩又は寛骨臼の凹面（）に、それぞれ協働するための、第１及び第２の関節結合凸面（Ｓ’1、Ｓ’2）を与える第２の中間コンポーネント（３；１０３；２０３）と、を有する。第２のコンポーネントはくり抜かれており、第１のコンポーネントに属する部材の一部を受容するための空間を画定する。【選択図】        図１
2006006956.tif 000002
【特許請求の範囲】
【請求項１】
関節結合部の凹面を与える上腕骨又は大腿骨の第１のコンポーネントと、
前記第１のコンポーネントの関節結合部の前記凹面に、及び本来の肩甲関節窩若しくは寛骨臼の凹面又は第３の肩甲関節窩若しくは寛骨臼のコンポーネントにより画定される関節結合部の肩甲関節窩又は寛骨臼の凹面に、それぞれ協働するための、第１及び第２の関節結合凸面を与える第２の中間コンポーネントと、を有し、
前記第２のコンポーネントはくり抜かれて前記第１のコンポーネントに属する部材の一部を受容するための空間を画定し、前記部分は前記第２のコンポーネントのリングに設けられた開口部を横切るステムによって前記第１のコンポーネントの骨幹端部に接続され、前記リングはカップに取り付けられてそのカップの外面は前記第2のコンポーネントの第2の関節結合凸面を形成する肩又は股の人工関節であって、
前記第２のコンポーネント（３；１０３；２０３）の第１の関節結合凸面（Ｓ′1）は、前記開口部（３３；１３３；２３３）の周囲において前記リング（３２；１３２；２３２）の外面（３５；１３５；２３５）に形成されることを特徴とする肩又は股の人工関節。
【請求項２】
前記開口部（３３；１３３；２３３）は長形で、幅（ｌ33；ｌ133；ｌ233）が前記空間（Ｖ3；Ｖ103；Ｖ203）に受容される前記部材（１５；１１５；２１５）の前記一部（１７；１１７；２１７）の最大幅（Ｌ17；Ｌ117；Ｌ217）よりも小さく、前記開口部の幅が前記ステムの幅（ｄ16：ｄ116；ｄ216）よりもわずかに大きいことを特徴とする請求項１に記載の人工関節。
【請求項３】
前記第１のコンポーネント（１；２０１）の前記関節結合凹面（Ｓ1）は、前記一部（１７；２１７）及び前記ステム（２６；２１６）と一体的である前記部材（１５；２１５）の一部（１８；２１８）に形成され、前記部材が前記第１のコンポーネントの骨幹端部（１２；２１２）に追加されることを特徴とする請求項１又は２に記載の人工関節。
【請求項４】
前記第１のコンポーネント（１０１）の前記関節結合凹面（Ｓ1）は、前記第１のコンポ ーネントの骨幹端部（１１２）に形成されることを特徴とする請求項１又は２に記載の人工関節。
【請求項５】
前記第１の凸面（Ｓ′1）と前記第１のコンポーネントの前記凹面（Ｓ1）とのうちの一方が、それが属するコンポーネント（１；１０３；２０１）に対して突出している一方で、前記２つの面のうちの他方の面が他方のコンポーネント（３；１０１；２０３）に対して凹状であり、前記突出面は２つの略平行エッジ（１８；１２６，１３６′；２１８）を境界とする一方で、前記凹状面は、前記人工関節（Ｐ）が取付状態にある時に前記突出面の前記エッジが間に配置される２つの略平行エッジを境界とすることを特徴とする請求項１〜４のいずれか１項に記載の人工関節。
【請求項６】
前記第１（１；１０１；２０１）及び第２（３；１０３；２０３）のコンポーネントの一方（３；１０１；２０３）は、他方のコンポーネント（１；１０３；２０１）の突出部（１８；１３７；２１８）を受容及び案内するためのくり抜き摺動路（３６，３６′；１１９）を形成し、前記第１の関節結合凸面（Ｓ′1）と前記第１のコンポーネントの前記関節結合凹面（Ｓ1）とがそれぞれ、前記摺動路の底面と前記突出部の端面とによって、又はその逆によって形成されることを特徴とする請求項１〜５のいずれか１項に記載の人工関節。
【請求項７】
前記開口部（３３；２３３）には、前記受容空間（Ｖ3；Ｖ203）に前記部材（１５；２１５）の前記一部（１７；２１７）を導入するための幅広ゾーン（３４；２３４）が設けられていることを特徴とする請求項１〜６のいずれか１項に記載の人工関節。
【請求項８】
前記リング（３２）は少なくとも前記幅広ゾーン（３４）の部位において弾性変形可能であり、前記空間（Ｖ3）への前記部分（１７）の導入が可能であることを特徴とする請求項７に記載の人工関節。
【請求項９】
前記幅広ゾーン（２３４）は長形である前記開口部（２３３）の一端部に設けられ、前記第１及び第２のコンポーネントの少なくとも一方（２０３）には、人工関節が取付状態にある時に前記一部（２１７）と前記幅広ゾーンとが合うことを防止するのに適した、ロックのための少なくとも１つの浮彫り要素（２３８，２３８′）が設けられていることを特徴とする請求項７に記載の人工関節。
【請求項１０】
前記第１の関節結合凸面（Ｓ′1）は概ね、前記人工関節（Ｐ）が取付及び埋設状態にある時に関節の前後軸（Ｙ3）を中心とする錐台状円柱の形状であることを特徴とする請求項１〜９のいずれか１項に記載の人工関節。
【発明の詳細な説明】
【技術分野】
【０００１】
本発明は、本来の関節の特徴を高い精度で再現することのできる、全体的又は部分的な肩又は股の人工関節に関する。
【背景技術】
【０００２】
特許文献１には、上腕骨又は大腿骨コンポーネントに接続されたプレートにより形成される関節結合部の凹面と、本来の又は人工の関節結合部の肩甲関節窩又は寛骨臼凹面とのそれぞれと協働するための２つの凸面を画定するカップとワッシャにより形成される中間部材を有する肩又は股の人工関節の製造が開示されている。中間コンポーネントと上腕骨又は大腿骨コンポーネントとの間にプレートを配置すると、対応する骨に固定された上腕骨又は大腿骨コンポーネントの一部にこのプレートを接続するステムの中央軸に対して平行な方向に人工関節の寸法が比較的大きくなる。この結果、上腕骨と肩甲関節窩との間又は大腿骨と骨盤との間にずれが生じ、このずれが病状として患者に不快感を与えることが分かっている。
【特許文献１】欧州特許出願公開第１３８０２７４号明細書
【特許文献２】米国特許第６，３１２，４６７号明細書
【特許文献３】欧州特許出願公開第０８０９９８６号明細書
【特許文献４】欧州特許出願公開第０８６４３０６号明細書
【特許文献５】欧州特許出願公開第０８０７４２６号明細書
【特許文献６】米国特許第４，０５４，９５５号明細書
【特許文献７】仏国特許出願公開第２２４８８２０号明細書
【特許文献８】米国特許第３，９１６，４５１号明細書
【特許文献９】米国特許第４，８４６，８４０号明細書
【発明の開示】
【発明が解決しようとする課題】
【０００３】
より詳しくは、本発明の目的は、新規な肩又は股の人工関節を提案することによりこれらの欠点を克服することである。これにより、一方の上腕骨又は大腿骨の断面と他方の肩甲関節窩又は寛骨臼関節結合面との間の距離が短くなる。
【課題を解決するための手段】
【０００４】
そのため本発明は、関節結合部の凹面を与える上腕骨又は大腿骨の第１のコンポーネントと、第１のコンポーネントの関節結合部の凹面に、及び本来の肩甲関節窩若しくは寛骨臼の凹面又は第３の肩甲関節窩若しくは寛骨臼のコンポーネントにより画定される関節結合部の肩甲関節窩又は寛骨臼の凹面に、それぞれ協働するための、第１及び第２の関節結合凸面を与える第２の中間コンポーネントと、を有する肩又は股の人工関節に関する。この第２のコンポーネントはくり抜かれており、第１のコンポーネントに属する部材の一部を受容するための空間を画定する。その一部は、第２のコンポーネントに属するリングに設けられた開口部を横切るステムにより、第１のコンポーネントの骨幹端部に接続され、上述した第２の関節結合凸面を形成する外面を有するカップに取り付けられる。この人工関節は、第２のコンポーネントの第１の関節結合凸面が上述した開口部の周囲においてリングの外面に形成されている点で特徴がある。
【０００５】
本発明によれば、中間コンポーネントの第１の関節結合凸面がその中間コンポーネントの外側に形成され、これにより、その凸面が骨幹端部のすぐ近くで第１のコンポーネントの表面と相互作用を行って、この表面によって支承されることになる。その結果、所定の病状によく適し た人工関節を十分に小型化することができる。
【０００６】
好ましいが必須ではない側面によれば、肩又は股の人工関節は以下の特徴の１つ以上を技術的に許容可能な組合せで取り入れる。
【０００７】
第２のコンポーネントのリングの開口部は、第２のコンポーネントの内部空間に受容される部材の一部の最大幅より短い幅を有する長形であり、この開口部の幅は上述したステムの幅よりわずかに大きい。本発明のこの側面により、第１のコンポーネントの部材の一部が第２のコンポーネントの空間の内部に保持される。これによって、アセンブリの良好な保持が保証される一方、開口部の幅によってステムの部位における第１のコンポーネントの部材を並進方向に案内することが可能となる。
【０００８】
第１実施例によれば、第１のコンポーネントの関節結合部の凹面は、第２のコンポーネント及びそれに関連するステムの内部空間に導入される部分と一体的である上述の部材の一部に形成される。この部材は第１のコンポーネントの骨幹端部に追加される。別の実施例によれば、第１のコンポーネントの関節結合部の凹面は、第１のコンポーネントの骨幹端部に形成される。
【０００９】
検討に係るどの実施例においても、第２のコンポーネントの第１の凸面と第１のコンポーネントの凹面の両面のうち一方はそれが属するコンポーネントよりも突出している一方で、これらの面のうちの他方は他のコンポーネントよりも凹状であり、突出している面は２つの略平行エッジによって境界が形成され、凹状の面は２つの略平行エッジによって境界が形成され、突出している面のエッジがその間に配置されると人工関節が取付状態となる。
【００１０】
第１及び第２のコンポーネントの一方は、第１及び第２のコンポーネントのうちの他方のコンポーネントの突出部を受容及び案内するためのくり抜き摺動路を形成し、第２のコンポーネントの第１の関節結合凸面と第１のコンポーネントの関節結合凹面とはそれぞれ、この摺動路の底面と突出部の端面とによって、又はその逆によって形成される。
【００１１】
リングの開口部には、上述した部材の一部を第２のコンポーネントの受容空間に導入するための幅広ゾーンが設けられている。上述の部分を上述の空間に導入できるように、このリングは少なくとも幅広ゾーンの部位で弾性的に変形可能である。別の方法では、長形であるリングの開口部の一端に幅広ゾーンが設けられ、第１若しくは第２のコンポーネントその両方は、人工関節が取付状態にある時にこの部分と幅広ゾーンとが一列に並ぶことを防止するのに適した、ロックのための少なくとも１つの浮彫り要素を備える。
【００１２】
関節結合部の第１面は概ね、人工関節が取付及び埋設状態にある時に関節の前後軸を中心とする錐台状円柱の形状である。
【００１３】
単なる例として挙げられ添付図面を参照して行われる、発明の原理に係る人工関節の３つの実施例についての以下の説明を考慮すると、本発明がより理解しやすく、他の長所がより明白となるだろう。
【発明を実施するための最良の形態】
【００１４】
さて、図面を参照して明瞭となるようにすると、図１〜３、５、６及び８には、人工関節コンポーネントが埋設された骨が図示されている。
【００１５】
［実施例１］
図１〜４に図示された人工関節Ｐは、患者の上腕骨Ｈの髄管に固定されるためのステム１１を有する上腕骨コンポーネント１を有し、そのうち骨幹端部１２は、ステム１１に追加されて固定されるための部材つまりスタッド１５を係止するためシャンク１４を受容してくさび止めするための錐台状ハウジング１３を有する。一体部品であるこの部材はまた、シャンク１４を有する部材１５の主要部へ略球形部１７を接続するステム形状の首部１６も有している。部材１５はまた、ハウジング１３の周囲において部分１２に設けられた略矩形凹所１９と嵌合することのできる外形を持つ略矩形フランジ１８を備える。
【００１６】
Ｓ１は、部分１７側を向いたフランジ１８の凹面を示す。Ｘ1は、要素１４及び１６の長手軸を示す。Ｙ1は凹所１９の長手軸を示し、凹所１９の最大側面に対して平行であるとともにその最大側面から等距離に位置する。表面Ｓ1は、軸Ｘ1及びＹ1に対して垂直な軸Ｚ1を中心とする、直線状の母線と円形の底面とを備える円柱の一部であり、軸Ｚ1は、人工関節が取付及び埋設状態にある時の概ね肩の前後方向に位置する。
【００１７】
人工関節Ｐはまた、肩甲関節窩Ｇに固定されるとともに、肩甲関節窩Ｇの外側を向いたくぼみを有する凹面Ｓ2を画定する肩甲関節窩コンポーネント２を有する。
【００１８】
コンポーネント１と２との間には、くり抜きカップ３１を有する中間コンポーネント３が配置されており、その内部には、適切な手段によってリング３２が不動に設けられている。リング３２は長形開口部３３を画定し、その開口部３３の最大寸法は、人工関節が取付状態にある時に軸Ｙ1に対して概ね平行な軸Ｙ3に沿って延びている。
【００１９】
その中央部分において、開口部３３には幅広ゾーン３４が設けられている。幅広ゾーン３４を通って、部分１７が強制的に、コンポーネント３の内側でカップ３１とリング３２との間に画定された空間Ｖ3に導入されるようになっている。
【００２０】
リング３２はプラスチック材料、特にポリエチレンで製作され、部分１７が空間Ｖ3に導入される時にゾーン３４の部位で弾性変形することができる。この導入を容易にするため、ゾーン３４は空間Ｖ３に向けて収束している。
【００２１】
部分１７の直径ｄ17は、ゾーン３４の部位を含めた開口部３３の幅ｌ33よりも大きいのに対して、首部１６の直径ｄ16はこの幅よりもわずかに小さい。このようにして、部分１７が空間Ｖ3に導入された場合、部分１７は要素１及び３を分離しようとする力に抵抗して人工関節Ｐの剥離抵抗に寄与する。直径ｄ16と幅ｌ33のそれぞれの値は、開口部３３の長手方向Ｙ3において首部すなわちステム１６が並進運動するのに適している。
【００２２】
Ｓ′2は、カップ３１の凸状外面を示す。Ｓ′1は、開口部３３を取り囲むリング３２の外面３５の一部を示す。表面３５は、空間Ｖ3の反対側に面するリング３２の表面である。
【００２３】
表面Ｓ′2は、表面Ｓ２の半径と同様の半径を持つ球体の一部であり、これによって表面Ｓ2とＳ′2との相互の表面結合が可能になる。
【００２４】
表面Ｓ′1は、直線の母線を備えるとともに、軸Ｙ3に対して垂直であって表面Ｓ1及びＳ′1が相互に当接状態にある時に軸Ｚ1と一致する軸Ｚ3を中心とする円形の底面を備える円柱の一部である。
【００２５】
このようにして、肩甲関節窩Ｇに対する上腕骨Ｈの関節結合が、表面Ｓ1及びＳ′1相互の並びに表面Ｓ2及びＳ′2相互の摺動によって行われる。
【００２６】
表面Ｓ′1は、リング３２の外面３５に対してくり抜かれており、一種の摺動路を形成する。表面Ｓ′1は、摺動路の２つのエッジ３６と３６′との間に画定されており、２つのエッジ３６及び３６′は軸Ｙ3に対して平行であるとともにフランジ１８の幅ｌ１８よりもわずかに長い距離ｄ36だけ離れている。こうしてフランジ１８はエッジ３６と３６′との間に部分的に係合し、これが、コンポーネント１に対してコンポーネント３を並進方向に案内することに寄与する。
【００２７】
リング３２の内面３９は、表面３５と同じ曲率半径を持つ。
【００２８】
本発明の変形例（図示せず）によれば、表面Ｓ1及びＳ′1は、円柱の一部でなく球体の一部であってもよい。その場合には、並進方向のステム１６の案内は、摺動路のエッジによって本質的に確保される。
【００２９】
本発明の変形例（図示せず）によれば、凹所１９の軸Ｙ1‐Ｙ′1は前後方向に位置する一方で、軸Ｚ1は上下方向に位置する。このような変形により、外転運動が促進される。
【００３０】
他の変形例（図示せず）によれば、部分１７は異なる形状、例えば円錐台でよい。
【００３１】
［実施例２］
図５〜７に図示された本発明の第２実施例では、第１実施例と同様の要素には、１００を加えた同一の参照番号が付けられている。この実施例の人工関節Ｐは患者の股に装着されるものである。大腿骨コンポーネント１０１は、大腿骨Ｆの髄管に固定されるステム１１１と、ヘッド１１７をシャンク１１４へ結合するステム形状の首部１１６を有する一体部材１１５を固定するためシャンク１１４を受容及びロックするためのハウジング１１３が設けられた骨幹端部１１２と、を有する。
【００３２】
寛骨臼コンポーネント１０２は、寛骨Ｉに固定される。
【００３３】
前述のように、プラスチック材料で製作されたリング１３２が留められたカップ１３１によって中間コンポーネント１０３が形成される。長形開口部１３３がリング１３２に設けられ、軸Ｙ3の方向に延びている。
【００３４】
変形例では、リング１３２は金属製であってもよい。
【００３５】
開口部１３３の幅ｌ１３３は、ヘッド１１７の最大寸法Ｌ117よりも小さく、ステム形状の首部１１６の直径ｄ116よりも大きい。ヘッド１１７の最小寸法ｌ117は直径ｄ116と略等しい。このため、ヘッド１１７の最大寸法を軸Ｙ3に合わせることにより、コンポーネント１０３の内部空間Ｖ103にヘッド１１７を導入することが可能となる。内部空間Ｖ103はカップ１３１とリング１３２との間に画定されている。部分１１４及び１１６に共通する軸Ｘ1周りに部材１１５を約９０°回転させることにより、ヘッド１１７は空間Ｖ103に保持される。
【００３６】
Ｓ2は、コンポーネント１０２により画定される凹面を示す。Ｓ′2は、カップ１３１ の外側凸面を示す。表面Ｓ2及びＳ′2は概ね球体の一部の形状であり、そのためこれら２つの表面の間での関節結合を行うことが可能となる。
【００３７】
第１実施例のように、関節結合部の第１凸面Ｓ′1は、開口部１３３の周囲においてリング１３２の外面１３５に設けられる。
【００３８】
凸面Ｓ′１はリング１３２の突出部１３７に形成され、１３６及び１３６′は、軸Ｙ3に対して平行な長手方向エッジを示す。
【００３９】
表面Ｓ1′の相補形状である凹面Ｓ1は、骨幹端部１１２に形成されて、略矩形断面の凹所１１９の底面を構成する。凹所１１９は、コンポーネント１０１が大腿骨Ｆに配置された時の骨幹端部１１２の露出面１１２ａに設けられる。
【００４０】
凹所１１９は長形であって、その最大寸法は、人工関節が取付状態にある時に軸Ｙ3に対して概ね平行な軸Ｙ1上に位置する。１１８と１１８′は、凹所１１９の長手方向エッジを示す。実際には、これらエッジの間の距離ｄ１１８は、エッジ１３６と１３６′との間の距離ｄ136に対応する、部分１３７の幅よりもわずかに長い。これはコンポーネント１０１と１０３との間の横方向案内に寄与する。というのは、コンポーネント１０１と１０３とが相互に当接している時に、部分１３７が凹所すなわち摺動路１１９に部分的に係合するためである。
【００４１】
表面Ｓ1及びＳ′1は、球体の一部、又は円形の底面と直線の母線とを備える円柱の一部の形状である。
【００４２】
［実施例３］
図８〜１３に図示された本発明の第３実施例では、第１実施例と同様の要素には２００を加えた同一の参照番号が付けられている。この実施例の人工関節Ｐは、患者の肩に装着されるもので、第１実施例の上腕骨コンポーネントと略同じ幾何学形状を与える上腕骨コンポーネント２０１を有する。部材２１５は、コンポーネント２０１の骨幹端部２１２に設けられたハウジング２１３に、シャンク２１４によって固定される。部材２１５は、そのヘッド２１７が略矩形断面を持つことを除いては、第１実施例の部材１５と略同じ幾何学形状を持つ。第１実施例のように、部材２１５は関節結合部の凹面Ｓ1を画定する。
【００４３】
関節窩コンポーネント２０２は肩甲関節窩に固定され、同様に凹面Ｓ2を画定する。
【００４４】
コンポーネント２０１と２０２との間に配置されるように設けられる中間コンポーネント２０３は、カップ２３１と、適切な手段、例えば圧着によってこのカップ上に不動とされるリング２３２と、によって形成される。リング２３２は、ヘッド２１７をフランジ２１８及びシャンク２１４に結合するステム形状の首部２１６を受容及び案内するための長形開口部２３３を画定し、フランジ２１８は表面Ｓ1を画定する。
【００４５】
表面Ｓ1の相補形状である凸面Ｓ′1はリング２３２の外面２３５に形成され、一方でカップ２３１の外面Ｓ′2は表面Ｓ2の相補形状である。
【００４６】
より詳しくは図９及び１２に示されている。ここでは図面を明瞭にするためカップ２３１が省略されている。ヘッド２１７は、その長さの最大部分において、開口部２３３の幅ｌ233よりも大きい長さＬ217を有する。コンポーネント２０３の内部空間Ｖ203へのヘッド２１７の導入を可能にするため、開口部２３３には、端部の一方の近傍に幅広ゾーン２３４が設けられている。その幅ｌ２３４は、長さＬ217よりも大きい。ヘッド２１７が空間Ｖ203に確実に保持されるように、リング２３２には、コンポーネント２０１が上腕骨に配置された時に骨幹端部２１２の露出面２１２ａと当接するための２つのヒール２３８及び２３８′が設けられている。こうして図１１及び１２の状態でリング２３２をロックするとともに、図１２の矢印Ｆ1に向かうヘッド２１７の変位を防止する。すなわち、このヘッド２１７が開口部２０４に合うことを防止し、結果的には空間Ｖ２０３からのヘッド２１７の脱落を防止する。こうして、ヘッド２１７は、空間Ｖ203に導入された場合に人工関節Ｐのアセンブリの動作に関わることになる。
【００４７】
本発明の変形例（図示せず）によれば、ヒール２３８及び２３８′の機能は、リング２３２の内面２３９、例えば開口部２３３の片側でゾーン２３４の近傍に設けられた１つ以上の浮彫り要素によって実施される。その場合、浮彫り要素の各々は、ヘッド２１７が図１２の位置から左へ移動することを防止する。
【００４８】
本発明の別の変形例（図示せず）によれば、ヒール２３８及び２３８′と同じ機能を持つ浮彫り要素が、面２１２ａ並びに、両コンポーネント２０１及び２０３にも設けられる。
【００４９】
幅ｌ233は、ステム２１６の直径ｄ216よりもわずかに長い。
【００５０】
第１実施例のように、表面Ｓ′1は方向Ｙ3と平行なエッジの間に画定されて摺動路を形成する。その間にはフランジ２１８が導入される。同様に、表面Ｓ1及びＳ′1は球体又は円柱の一部でよく、その他の所定形状の表面の一部分でもよい。
【００５１】
本発明は、全肩及び全股の人工関節に使用される際の本発明を示している。しかし、肩甲関節窩コンポーネントを有していない人工肩関節にも適用可能であり、肩甲関節窩の解剖学的関節結合面が、図に表された表面Ｓ2の代わりに使用される。同様に、人工股関節の場合には、本来の寛骨臼腔が使用されてもよい。
【００５２】
異なる実施例の特徴が一緒に組み合わされてもよい。すなわち第２実施例の人工関節を肩に適合させ、第１及び第３実施例の人工関節を股に適合させてもよい。
【図面の簡単な説明】
【００５３】
【図１】患者に配置された本発明に係る人工肩関節の、患者の腕が中間位置にある時の矢状断面図である。
【図２】患者の腕が図１の位置よりも上方にある時の図１と同様の縮小断面図である。
【図３】患者の腕が下方位置にある時の図２と同様の断面図である。
【図４】図１〜３の人工関節の上腕骨コンポーネントと中間コンポーネントの分解斜視図である。
【図５】本発明の第２実施例に係る人工股関節についての、図１と同様の断面図である。
【図６】図５のＶＩ‐ＶＩ線断面図である。
【図７】図５及び６の人工関節の大腿骨コンポーネントと中間コンポーネントの分解斜視図である。
【図８】本発明の第３実施例に係る人工肩関節についての図１と同様の断面図である。
【図９】図８のＩＸ‐ＩＸ線における断面図である。
【図１０】図８及び９の状態における中間コンポーネントと上腕骨コンポーネントの一部を示す斜視図である。
【図１１】別の状態における図８〜１０の人工関節の側面図である。
【図１２】人工関節が図１１の状態にある時の図１０と同様の斜視図である。
【図１３】図８〜１２の人工関節の上腕骨コンポーネントと中間コンポーネントの分解斜視図である。
【符号の説明】
【００５４】
Ｆ  大腿骨
Ｇ  肩甲関節窩
Ｈ  上腕骨
Ｉ  寛骨
Ｐ  人工関節
Ｖ  内部空間
１；２０１  上腕骨コンポーネント（第１のコンポーネント）
１０１  大腿骨コンポーネント（第１のコンポーネント）
２；２０２  肩甲関節窩コンポーネント（第３のコンポーネント）
１０２  寛骨臼コンポーネント（第３のコンポーネント）
３；１０３；２０３  中間コンポーネント（第２のコンポーネント）
１１；１１１  ステム
１２；１１２；２１２  骨幹端部
２１２ａ  骨幹端部の露出面
１３；１１３  錐台状ハウジング
１４；１１４；２１４  シャンク
１５；１１５；２１５  スタッド
１６；１１６；２１６  首部
１７；１１７；２１７  略球形部／ヘッド
１８；１１８；２１８  フランジ
１９；１１９  略矩形凹所（摺動路）
３１；１３１；２３１  カップ
３２；１３２；２３２  リング
３３；１３３；２３３  開口部
３４；２３４  幅広ゾーン
３５；２３５  リング外面
３６，３６′；１３６，１３６′  エッジ
１３７  突出部
２３８，２３８′  ヒール
３９；２３９  リング内面
【図１】
2006006956.tif 000003
【図２】
2006006956.tif 000004
【図３】
2006006956.tif 000005
【図４】
2006006956.tif 000006
【図５】
2006006956.tif 000007
【図６】
2006006956.tif 000008
【図７】
2006006956.tif 000009
【図８】
2006006956.tif 000010
【図９】
2006006956.tif 000011
【図１０】
2006006956.tif 000012
【図１１】
2006006956.tif 000013
【図１２】
2006006956.tif 000014
【図１３】
2006006956.tif 000015